(57)【特許請求の範囲】
【請求項１】
レーザ光を光記録ディスクに収束させる収束レンズを有したレンズホルダと、このレンズホルダをトラッキング方向またはフォーカシング方向に駆動するための駆動部材としてのコイルとマグネットからなるレンズホルダ駆動手段とを備えた光ピックアップ装置において、
上記レンズホルダは、上記レンズホルダ駆動手段を構成するマグネットとコイルの２つの駆動部材のうち、一方の駆動部材を収納する凹部を有し、この凹部に上記一方の駆動部材が収納され、上記凹部に封止材が充填されることによって、上記一方の駆動部材を上記凹部内に固定し、
上記凹部は、上記一方の駆動部材の中心孔を貫通する内枠と、その内枠との間に空間を有して対向配置された外枠と、この内枠と外枠との間に存在する底面とで形成され、その底面の対向面側を開口して形成されていることを特徴とする光ピックアップ装置。
【請求項２】
レーザ光を光記録ディスクに収束させる収束レンズを有したレンズホルダと、このレンズホルダをトラッキング方向またはフォーカシング方向に駆動するための駆動部材としてのコイルとマグネットからなるレンズホルダ駆動手段とを備えた光ピックアップ装置において、
上記レンズホルダは、上記レンズホルダ駆動手段を構成するマグネットとコイルの２つの駆動部材のうち、一方の駆動部材を収納する凹部を有し、この凹部に上記一方の駆動部材が収納され、上記凹部に封止材が充填されることによって、上記一方の駆動部材を上記凹部内に固定し、
上記凹部に収納される一方の駆動部材は、上記レンズホルダをフォーカシング方向に駆動するための１つのフォーカシングコイルと上記レンズホルダをトラッキング方向に駆動するための２つのトラッキングコイルであり、他方の駆動部材であるマグネットは、上記凹部の外枠の外側に空間をもって１８０度対称に２つ配置されていることを特徴とする光ピックアップ装置。
【請求項３】
レーザ光を光記録ディスクに収束させる収束レンズを有したレンズホルダと、このレンズホルダをトラッキング方向またはフォーカシング方向に駆動するための駆動部材としてのコイルとマグネットからなるレンズホルダ駆動手段とを備えた光ピックアップ装置において、
上記レンズホルダは、上記レンズホルダ駆動手段を構成するマグネットとコイルの２つの駆動部材のうち、一方の駆動部材を収納する凹部を有し、この凹部に上記一方の駆動部材が収納され、上記凹部に封止材が充填されることによって、上記一方の駆動部材を上記凹部内に固定し、
上記レンズホルダが光ピックアップ装置の基台に対し軸支され、軸方向に上下動可能で、かつ、軸を中心に回動自在な軸摺動方式を採用したものであり、
上記凹部は、上記レンズホルダの軸支部分を囲むように形成された内枠と、その内枠との間に空間を有して内枠を囲むように対向配置された外枠と、この内枠と外枠との間に存在する底面とで形成され、その断面がＵ字型である溝状に形成されることを特徴とする光ピックアップ装置。
【請求項４】
レーザ光を光記録ディスクに収束させる収束レンズを有したレンズホルダと、このレンズホルダをトラッキング方向またはフォーカシング方向に駆動するための駆動部材としてのコイルとマグネットからなるレンズホルダ駆動手段とを備えた光ピックアップ装置において、
上記レンズホルダは、上記レンズホルダ駆動手段を構成するマグネットとコイルの２つの駆動部材のうち、一方の駆動部材を収納する凹部を有し、この凹部に上記一方の駆動部材が収納され、上記凹部に封止材が充填されることによって、上記一方の駆動部材を上記凹部内に固定し、
上記コイルとしてのフォーカシングコイルは、筒状をなすように巻回されたコイルであって、その筒状の筒形成空間部に上記レンズホルダの軸支部分を取り囲むように形成された上記凹部の内枠が挿入された状態で装着されることを特徴とする光ピックアップ装置。
【請求項５】
レーザ光を光記録ディスクに収束させる収束レンズを有したレンズホルダと、このレンズホルダをトラッキング方向またはフォーカシング方向に駆動するための駆動部材としてのコイルとマグネットからなるレンズホルダ駆動手段とを備えた光ピックアップ装置において、
上記レンズホルダは、上記レンズホルダ駆動手段を構成するマグネットとコイルの２つの駆動部材のうち、一方の駆動部材を収納する凹部を有し、この凹部に上記一方の駆動部材が収納され、上記凹部に封止材が充填されることによって、上記一方の駆動部材を上記凹部内に固定し、
上記レンズホルダの軸支部分を取り囲むように内枠を形成し、その内枠は、上記レンズホルダを軸支する軸に直交する断面が台形をなし、その台形の長辺が上記収束レンズ側に位置し、短辺が軸を挟んで反対側に位置するように形成され、その内枠の形状に合わせて上記コイルとしてのフォーカシングコイルも、上記レンズホルダを軸支する軸に直交する断面が台形となるような形状とし、かつ、他方の駆動部材である上記マグネットを上記収束レンズの中心と上記軸の中心とを結ぶ直線と直交する方向で上記フォーカシングコイルに対向するように対向配置し、レンズホルダのフォーカシング動作作用点を上記軸の中心より上記収束レンズ側に移動させたことを特徴とする光ピックアップ装置。
【請求項６】
前記レンズホルダをトラッキング方向に駆動するための２つのトラッキングコイルが、前記台形の内枠に前記フォーカシングコイルが装着された際に、台形の短辺に近い斜辺と外枠との間に生じるそれぞれの隙間に装着されることを特徴とする請求項５記載の光ピックアップ装置。
【発明の詳細な説明】
【０００１】
【発明の属する技術分野】
本発明は、光記録ディスクプレーヤに用いられる光ピックアップ装置の改良に関する。
【０００２】
【従来の技術】
たとえば、ＣＤ（Compackt Disc）などの光記録ディスクに記録された情報の読み取りは、光ピックアップ装置によりディスクの記録面にレーザ光を照射し、その反射光を受光素子に導くことにより行う。
【０００３】
この光ピックアップ装置は、レーザ光をディスクの記録面に対し適正な状態で照射させるために、レーザ光のフォーカシング制御とトラッキング制御が行われる。このフォーカシング制御とトラッキング制御は、レーザ光をディスク面に収束させるための収束レンズ（対物レンズ）を保持するレンズホルダを、フォーカシング方向およびトラッキング方向に駆動させることで行うが、その駆動源は、マグネットとコイルによって電磁的に行うのが一般的である。
【０００４】
一般的には、コイル（フォーカシングコイルおよびトラッキングコイル）は、レンズホルダ側に設けられ、マグネットはレンズホルダを支持するフレームなどの固定部材側に設けられており、レンズホルダを上下方向に駆動させることでフォーカシング制御を行い、左右方向に駆動することでトラッキング制御を行うようになっている。このような動作を行う際のレンズホルダの支持の仕方には従来から軸摺動型やワイヤ駆動型などが広く用いられている。
【０００５】
軸摺動型は、レンズホルダを固定部材である基台（フレーム）に対し軸支し、フォーカシングコイルに電流を流すことで、レンズホルダを軸に沿って上下動させ、また、トラッキングコイルに電流を流すことでレンズホルダを軸を中心に回動させるようにしている（特開平８−３２９４９９号公報他参照）。
【０００６】
ワイヤ駆動型は、レンズホルダをバネ性のあるワイヤで支持したもので、軸摺動型と同じく、フォーカシングコイルまたはトラッキングコイルに電流を流すことで、レンズホルダを上下動または回動させるようにしている（実開昭６２−１２０４２５号公報他参照）。
【０００７】
【発明が解決しようとする課題】
このような光ピックアップ装置において、コイル（フォーカシングコイルおよびトラッキングコイル）は、レンズホルダに対し接着材によって張り付けることで固定するのが一般的である。
【０００８】
しかしながら、コイルをレンズホルダに対し接着材で張り付けて固定させると、接着剤のはみ出しが生じ、そのはみ出し部分がマグネットやレンズホルダ近傍に位置する固定部材に接触することがあり、レンズホルダの駆動が円滑に行われない原因となる問題がある。また、接着剤の量のばらつきや接着状態のばらつきによってコイルを含めた組み上がりの体格にばらつきが生じがちとなる。このため、レンズホルダの駆動性能にもばらつきが発生しがちとなっている。
【０００９】
また、コイルに過電流が流れるとその熱によって接着剤が溶けてコイルが外れたり、コイルがバラバラになるといった不具合が生じることもある。さらに、接着が不十分であると、振動特性に悪影響を与え高精度なフォーカシング制御およびトラッキング制御が行えないなどの問題が発生する。さらに、接着の仕方のバラツキなどにより、仕上がり具合が一定とならず、それが性能に悪影響を及ぼすおそれもあり、このため、仕上がり具合の検査を綿密に行う必要が生じ、検査作業工程に時間を要している。
【００１０】
そこで本発明は、これらの問題点を解決するためになされたものであり、レンズホルダを駆動するレンズホルダ駆動手段を構成する一方の駆動部材として、たとえば、フォーカシングコイルおよびトラッキングコイルをレンズホルダ固定する際、簡単にかつ均一な状態での固定を可能とし、しかも、通電流などによるコイルのはずれや振動特性に悪影響を与えることなく、高精度なフォーカシングおよびトラッキング制御が可能となるなど種々の利点を有する光ピックアップ装置を提供することを目的としている。
【００１１】
【課題を解決するための手段】
かかる目的を達成するために、本発明の光ピックアップ装置は、レーザ光を光記録ディスクに収束させる収束レンズを有したレンズホルダと、このレンズホルダをトラッキング方向またはフォーカシング方向に駆動するための駆動部材としてのコイルとマグネットからなるレンズホルダ駆動手段とを備えた光ピックアップ装置において、レンズホルダは、レンズホルダ駆動手段を構成するマグネットとコイルの２つの駆動部材のうち、一方の駆動部材を収納する凹部を有し、この凹部に一方の駆動部材が収納され、凹部に封止材が充填されることによって、一方の駆動部材を凹部内に固定されるようにしている。
【００１２】
そして、凹部は、一方の駆動部材の中心孔を貫通する内枠と、その内枠との間に空間を有して対向配置された外枠と、この内枠と外枠との間に存在する底面とで形成され、その底面の対向面側を開口して形成されている。
【００１３】
また、他の発明は、凹部に収納される一方の駆動部材を、レンズホルダをフォーカシング方向に駆動するための１つのフォーカシングコイルと、レンズホルダをトラッキング方向に駆動するための２つのトラッキングコイルとし、他方の駆動部材であるマグネットを、凹部の外枠の外側に空間をもって１８０度対称に２つ配置するものとする。
【００１４】
また、他の発明では、レンズホルダが光ピックアップ装置の基台に対し軸支され、軸方向に上下動可能で、かつ、軸を中心に回動自在な軸摺動方式を採用したものであり、凹部は、レンズホルダの軸支部分を囲むように形成された内枠と、その内枠との間に空間を有して内枠を囲むように対向配置された外枠と、この内枠と外枠との間に存在する底面とで形成され、その断面がＵ字型である溝状に形成されたものとしている。
【００１５】
また、他の発明は、フォーカシングコイルを、筒状をなすように巻回されたコイルであって、その筒状の筒形成空間部に、レンズホルダの軸支部分を取り囲むように形成された凹部の内枠が挿入された状態で装着している。
【００１６】
さらに、他の発明では、レンズホルダの軸支部分を取り囲むように内枠を形成し、その内枠は、レンズホルダを軸支する軸に直交する断面が台形をなし、その台形の長辺が収束レンズ側に位置し、短辺が軸を挟んで反対側に位置するように形成され、その内枠の形状に合わせてコイルとしてのフォーカシングコイルも、レンズホルダを軸支する軸に直交する断面が台形となるような形状とし、かつ、他方の駆動部材であるマグネットを収束レンズの中心と軸の中心とを結ぶ直線と直交する方向でフォーカシングコイルに対向するように対向配置し、レンズホルダのフォーカシング動作作用点を軸の中心より収束レンズ側に移動させている。
【００１７】
そして、レンズホルダをトラッキング方向に駆動するための２つのトラッキングコイルが、台形の内枠にフォーカシングコイルが装着された際に、台形の短辺に近い斜辺と外枠との間に生じるそれぞれの隙間に装着されるようにするのが好ましい。
【００１８】
このように本発明は、レンズホルダ駆動手段を構成するマグネットとコイルの２つの駆動部材のうち、一方の駆動部材としてたとえばコイル（フォーカシングコイルとトラッキングコイル）が所定箇所に装着された後、その駆動部材が収納された凹部に液体状の樹脂などを封止材として充填することによって、その駆動部材の装着状態をそのままの状態で固定するようにしている。
【００１９】
これによって、駆動部材を接着剤によって張り付けることで固定している従来のものに比べて、接着剤で張り付けを行う際に生じる接着剤のはみ出し部分などが生じるおそれがなく、また、コイルに過電流が流れたとしてもその熱によって接着剤が溶けてコイルが外れたり、コイルがバラバラになるといった不具合を防止できる。さらに、接着不十分ということがなくなるので、振動特性に悪影響を与えたりすることがなく、また、接着の仕方の微妙なバラツキがなくなるので、仕上がり具合を綿密に検査する検査作業工程を簡略化することができるなど多くの利点を有する。
【００２０】
また、凹部は、レンズホルダの軸支部分（レンズホルダが軸摺動方式である場合）を取り囲むように形成され、凹部を形成する内枠がレンズホルダを軸支する軸に直交する断面が台形をなし、その台形の長辺が収束レンズ側に位置し、短辺が軸を挟んで反対側に位置するように形成され、その内枠の形状に合わせてフォーカシングコイルも、レンズホルダを軸支する軸に直交する断面が台形となるような形状とすると、フォーカシング駆動の作用点を可動部の中心位置に一致あるいは近づけることが可能となる。すなわち、フォーカシングコイルの上下動の作用点が軸の中心ではなく、収束レンズ側に移動し、コイルや収束レンズを含めたレンズホルダの重心位置に近づくこととなる。これは、台形をなす内枠の長辺のかど部がマグネットに対して最も間隔が小さくなり、その部分での電磁作用力が大きくなるためである。
【００２１】
一般に、レンズホルダは、収束レンズの重量が大きいため、その重心位置は収束レンズ側に位置している。本発明の場合、台形をなす内枠の長辺部分はレンズホルダの軸支部分（可動点）よりも収束レンズ側に位置しているため、その長辺部分がレンズホルダの重心位置に一致あるいは近い状態となり、内枠の長辺の近傍にレンズホルダのフォーカシング動作作用点を持ってくれば、レンズホルダに対するフォーカシング動作作用点は、レンズホルダの重心位置に一致または近づけることができる。
【００２２】
このように、内枠とフォーカシングコイルを台形状にすることによって、レンズホルダのフォーカシング動作作用点が、レンズホルダの重心位置にほぼ一致するという利点が得られるが、それ以外にも、フォーカシングコイルを内枠に環装させた状態としたとき、内枠とフォーカシングコイルの短辺近くの斜辺部分と外枠（外枠は台形とする必要はない）との間に空間が生じ、その空間部をトラッキングコイルの装着部とすることができることにもなる。
【００２３】
【発明の実施の形態】
以下、本発明の実施の形態について図１から図６を参照しながら説明する。
【００２４】
本発明は、光ピックアップ装置の構成要素の１つであるレンズホルダ部分に特徴があるので、この実施の形態で示される光ピックアップ装置としての図面は、光ピックアップ装置の構成全体を図示するものではなく、本発明を説明するに必要な部分のみを図示することとする。
【００２５】
レンズホルダ１は、図１及び図２では図示されていない光ピックアップ装置の基台としてのフレームに設けられた固定軸２に支持される軸受け部３が設けられ、固定軸２に対し軸方向への上下動と固定軸２を中心とした左右への回動が可能となっている。なお、光ピックアップ装置が光記録ディスクプレーヤに取り付けられる場合、光記録媒体Ｄが図２に示すような位置関係となるように配置される。
【００２６】
そして、レンズホルダ１の先端部には収束レンズ（対物レンズ）４が設けられるとともに、上述の軸受け部３を取り囲むように、固定軸２の軸方向に延出した内枠５が形成される。この内枠５は平面的に見たときの断面、つまり、固定軸２と直交する断面が台形（収束レンズ４側から見たとき収束レンズ４側の辺５ａが長辺をなし、固定軸２を挟んだ対向側の辺５ｂが短辺をなす台形）をなすように形成され、その内枠５を取り囲むように内枠５との間に空間を置いて外枠６が形成される。なお、以下では辺５ａを長辺５ａ、辺５ｂを短辺５ｂという。
【００２７】
この内枠５と外枠６は底面７によってつながっており、この内枠５と外枠６と底面７で凹部８が形成され、この凹部８は平面的に見た面（固定軸２に直交する面）はほぼ「ロ」の字型をなし、軸方向断面はほぼＵ字型をなしている。また、この底面７との対向面側は開放された状態となっている。
【００２８】
このような凹部８を形成する内枠５と外枠６と底面７とは一体成形的に形成されるものであってもよいが、一体的でなくてもよい。ただし、一体成形的でない場合も、粘性を有する液状体が底面７と内枠５および外枠６の接続部から漏れ出ないようにする程度の気密性は必要である。
【００２９】
また、このレンズホルダ１の側面（上述の外枠６を構成する２つの対向壁６ａ，６ｂの外側）には、レンズホルダ１を挟むように駆動部材としての２つのマグネットＭＧ１，ＭＧ２が設けられる。さらに言えば、このマグネットＭＧ１，ＭＧ２は、内枠５の２つの斜辺５ｃ，５ｄの長さよりも長いものとし、レンズホルダ１の収束レンズ４の中心と固定軸２の中心を結ぶ直線に直交する線上に各マグネットＭＧ１，ＭＧ２の中心がくるように配置され、かつ、内枠５の２つの斜辺５ｃ，５ｄをカバーできる位置に対向配置される。
【００３０】
そして、前述の凹部８には、その凹部８を形成する内枠５を囲むようにフォーカシングのためレンズホルダ１を上下動させるためのフォーカシングコイルＦＣが収納される。このフォーカシングコイルＦＣは、内枠５と同様、平面的に見たときの断面、つまり、固定軸２と直交する断面が台形をなすように巻回され、その中心に筒形成空間部２１を有する筒状のコイルであって、凹部８の開放面側から内枠５を囲むように装着され、内枠５が筒形成空間部２１に挿入した状態となる。
【００３１】
また、このように内枠５に対しフォーカシングコイルＦＣが取り付けられた後、このフォーカシングコイルＦＣと外枠６との隙間に１対のトラッキングコイルＴＣ１，ＴＣ２が装着される。ここで、マグネットＭＧ１，ＭＧ２、フォーカシングコイルＦＣおよび１対のトラッキングコイルＴＣ１，ＴＣ２は、協同してレンズホルダを駆動するレンズホルダ駆動手段を構成している。
【００３２】
トラッキングコイルＴＣ１，ＴＣ２は、トラッキングのためレンズホルダ１を回動させるためのもので、側面側からみたとき中空部２２を有する長円形（楕円形のドーナツ型）をなし、その取付位置は、図１に示すように、フォーカシングコイルＦＣの斜辺の内枠５の短辺５ｂに近い側と、外枠６の対向壁６ａ，６ｂとの間に形成される空間部に収納される。
【００３３】
なお、フォーカシングコイルＦＣとトラッキングコイルＴＣ１，ＴＣ２のそれぞれには電源供給線９，１０が設けられ、これらの電源供給線９，１０は凹部８の開放端側から外方に延出されている。また、トラッキングコイルＴＣ１，ＴＣ２は、２つが別々となったものでなくともよく、図５に示すように、眼鏡型のように一箇所がつながったものとしても良い。また、このトラッキングコイルＴＣ１，ＴＣ２によるレンズホルダ１の動作は回動動作なので、トラッキングコイルＴＣ１，ＴＣ２のマグネットＭＧ１，ＭＧ２との対向面は固定軸２を中心とした円弧形状として、マグネットＭＧ１，ＭＧ２との距離をなるべく変化させないようにすることが好ましい。
【００３４】
図１および図２は、レンズホルダ１にフォーカシングコイルＦＣとトラッキングコイルＴＣ１，ＴＣ２が装着された状態を示す図である。このように装着されたフォーカシングコイルＦＣとトラッキングコイルＴＣ１，ＴＣ２は、マグネットＭＧ１，ＭＧ２とともにレンズホルダ駆動手段としての役目を果たし、ここでは、１対のマグネットＭＧ１，ＭＧ２をフォーカシングコイルＦＣとトラッキングコイルＴＣ１，ＴＣ２で共用している。そして、フォーカシングコイルＦＣまたはトラッキングコイルＴＣ１，ＴＣ２にそれぞれ電流を流すことで生じる電磁力の働きでレンズホルダ１を、固定軸２を中心に上下方向または左右方向に駆動する。
【００３５】
そして、図１および図２のようにレンズホルダ１に設けられた凹部８内の所定位置にフォーカシングコイルＦＣとトラッキングコイルＴＣ１，ＴＣ２が装着された後、その凹部８に粘性を有する液状の樹脂などを封入材として流し込み、フォーカシングコイルＦＣとトラッキングコイルＴＣ１，ＴＣ２をそのままの状態で固定する。この封入材として用いられる樹脂は、ある程度の粘性を有するが低粘度のものの方が、流し込んだあとの表面がより平面的になるので、固まったあとの仕上がり状態が良好なものとなるなどの点で好ましい。
【００３６】
なお、封入材を流し込む前に、フォーカシングコイルＦＣとトラッキングコイルＴＣ１，ＴＣ２を、瞬間接着剤などによってそれぞれ仮り止めしておくようにしてもよい。また、仮り止めの方法としては、瞬間接着剤の他に、フォーカシングコイルＦＣとトラッキングコイルＴＣ１，ＴＣ２に過電流を流してそれぞれのコイルの融着層を溶かして仮り止めするようにしてもよい。
【００３７】
このように、フォーカシングコイルＦＣとトラッキングコイルＴＣ１，ＴＣ２をレンズホルダ１の凹部８のそれぞれ所定位置に装着し、そのあと、その凹部８に封入材を流し込むことでフォーカシングコイルＦＣとトラッキングコイルＴＣ１，ＴＣ２を装着状態のまま固定するようにしているので、前述した従来の接着材により固定させることによって生じる様々な不具合を解消することができる。
【００３８】
なお、図６は、フォーカシングコイルＦＣ、トラッキングコイルＴＣ１，ＴＣ２が装着されたレンズホルダ１が取り付けられた光ピックアップ装置の構成をレンズホルダ１とその周辺部分のみについて示す図であり、かつ図２の下方から見た図である。光ピックアップ装置１１のフレーム１２側に設けられた固定軸２に、レンズホルダ１の軸受け部３が軸支された状態で支持される。なお、図６において、図１および図２と同一部分には同一符号が付されている。また、図６の紙面上方に光記録媒体（図示省略）が配置される。
【００３９】
ところで、この種の従来の光ピックアップ装置は、レンズホルダにコイル（フォーカシングコイルとトラッキングコイル）が装着された状態での重心位置が軸支部分に位置するようにし、かつ、その重心位置とフォーカシング動作作用点が一致するように、重さのバランスをとることがなされている。つまり、レンズホルダは軸支部分に対しては収束レンズのある方が重たくなるのが普通である。一方、フォーカシング制御を行わせるためのフォーカシング動作作用点は軸支部分に一致するのが望ましいとされる。このため、レンズホルダに、フォーカシングコイルとトラッキングコイルが装着された状態でのレンズホルダの重心が軸支部分付近になるようにレンズホルダの収束レンズ側とは反対側の端部付近にバランサとしての重りを付けるようなことがなされている。
【００４０】
本発明の光ピックアップ装置に用いられるレンズホルダ１は、前述したように、凹部８を形成する内枠５がレンズホルダ１を軸支する固定軸２に直交する断面が台形をなし、その台形の長辺５ａが収束レンズ４側に位置し、短辺５ｂが固定軸２を挟んで反対側に位置するように形成され、その内枠５の形状に合わせてフォーカシングコイルＦＣも、固定軸２に直交する断面が台形となるような形状としている。
【００４１】
そして、マグネットＭＧ１，ＭＧ２は、固定軸２の中心と、収束レンズ４の中心とを結ぶ直線と直交する方向で、かつその直線と長手方向が平行となるようにし、しかも各中心が固定軸２の中心から直交方向に引き出される直線上に位置するように配置されている。すなわち、台形をなす内枠５の長辺５ａ側ほどマグネットＭＧ１，ＭＧ２との間隔が狭くなるようにされているため、長辺５ａの近傍にレンズホルダ１のフォーカシング動作作用点が存在することとなる。これは、台形をなす内枠５の長辺５ａのかど部がマグネットＭＧ１，ＭＧ２に対して最も間隔が小さくなり、その部分での電磁作用力が大きくなるからである。
【００４２】
前述したように、レンズホルダ１は、収束レンズ４の重量が大きいため、その重心位置は収束レンズ４側に位置している。本発明の場合、台形をなす内枠５の長辺５ａ部分は、レンズホルダ１の固定軸２（可動点）よりも収束レンズ４側に位置しているため、その長辺５ａ部分がレンズホルダ１の重心位置に一致あるいは限りなく重心位置に近い状態となっている。このため、内枠５の長辺５ａの近傍にレンズホルダ１のフォーカシング動作作用点を持ってくれば、レンズホルダ１に対するフォーカシング動作作用点は、レンズホルダ１の重心位置に一致または限りなく近くすることができる。
【００４３】
なお、この場合、フォーカシング動作作用点は、レンズホルダ１の軸支部分（固定軸２の中心）とは異なった位置となるが、フォーカシング動作作用点が重心位置に同じか限りなく近づくため、従来必要としていたバランサとしての重りなどが不要となり、部品点数の削減および軽量化が図れ、その取付工程も省略できるという大きな利点が得られる。
【００４４】
なお、本発明は以上説明した実施の形態に限定されるものではなく、本発明の要旨を逸脱しない範囲で種々変形実施可能となるものである。たとえば、前述の実施の形態では、レンズホルダ１は光ピックアップ装置１２のフレーム側に設けられた固定軸２に対し摺動可能となるようにしたいわゆる軸摺動方式を採用した光ピックアップ装置について説明したが、凹部８を形成し、その中にコイルを収納し封止する構成は、軸摺動方式ではなくレンズホルダをワイヤで支持するワイヤ支持方式のものにも適用できる。
【００４５】
また、前述の実施の形態で用いたレンズホルダ１は、図１から図５からもわかるように、全体的には合成樹脂などで一体成形されたものであるが、収束レンズ４を保持する部分、軸受け部３が形成される部分、フォーカシングコイルＦＣやトラッキングコイルＴＣ１，ＴＣ２を保持する部分（凹部８を形成する部分）などをそれぞれ別体に作成し、組み立て時にそれぞれを一体化するようにし生産性の改善を図るようにしてもようにしても良い。
【００４６】
また、マグネットＭＧ１，ＭＧ２との対向面となる外枠６の対向壁６ａ，６ｂを、アルミニウム合金など熱伝導性に優れた部材で作成し、放熱性を高めるようにすることもできる。同様に、凹部８に流し込む封入部材も熱伝導性に優れたものとすることで装置全体の耐熱性の向上を図ることができる。
【００４７】
【発明の効果】
以上説明したように本発明は、レンズホルダ駆動手段を構成するマグネットとコイルの２つの駆動部材のうち、一方の駆動部材としてたとえばコイル（フォーカシングコイルとトラッキングコイル）が収納された凹部に液体状となった樹脂などを封止材として充填することによって、その駆動部材を凹部内に固定するようにしている。これによって、駆動部材を接着剤によって張り付けることで固定している従来のものに比べて、接着剤で張り付けを行う際に生じる接着剤のはみ出し部分などが生じるおそれがなく、また、体格も安定し、さらにコイルに過電流が流れたとしてもその熱によって接着剤が溶けてコイルが外れたり、コイルがバラバラになるといった不具合を防止できる。さらに、接着不十分ということがなくなるので、振動特性に悪影響を与えたりするこがなく、また、接着の仕方の微妙なバラツキがなくなるので、仕上がり具合を綿密に検査する検査作業工程を簡略化することができるなど多くの利点を有する。
【図面の簡単な説明】
【図１】本発明の実施の形態の光ピックアップ装置のレンズホルダ部分の構成をレンズホルダ内にフォーカシングコイルおよびトラッキングコイルを装着した状態で示す平面図である。
【図２】図１の下方から見た側面図である。
【図３】図１の光ピックアップ装置のレンズホルダ部分の構成を示す図で、（Ａ）は平面図で、（Ｂ）は側面図である。
【図４】図１に示されるレンズホルダに収納されるフォーカシングコイルを示す図であり、（Ａ）は平面図で、（Ｂ）は側面図である。
【図５】図１に示されるレンズホルダに収納されるトラッキングコイルを示す図であり、（Ａ）は平面図で、（Ｂ）は側面図である。
【図６】図１に示すレンズホルダ部分が光ピックアップ装置のフレームに取り付けられた状態を上方から見た図である。
【符号の説明】
１  レンズホルダ
２  固定軸
３  軸受け部
４  収束レンズ
５  内枠
６  外枠
７  底面
８  凹部
ＦＣ  フォーカシングコイル（駆動部材でレンズホルダ駆動手段の一部）
ＴＣ１，ＴＣ２  トラッキングコイル（駆動部材でレンズホルダ駆動手段の一部）
ＭＧ１，ＭＧ２  マグネット（駆動部材でレンズホルダ駆動手段の一部）
【図１】
0003727202.tif 000002
【図２】
0003727202.tif 000003
【図３】
0003727202.tif 000004
【図４】
0003727202.tif 000005
【図５】
0003727202.tif 000006
【図６】
0003727202.tif 000007